(57)【特許請求の範囲】
【請求項１】
自動販売機等Ａの底外面に固着可能な固定部材１０と、この前端部に上方より挿入され、自動販売機等Ａの前面に添って起立固定され、かつ抜去可能な防護部材３０と、前記防護部材３０の外筐３１内に設けられ、固定部材１０に挿入された防護部材３０と掛合するラッチ３２と、該ラッチ３２を掛合位置に施錠する施錠装置４５とからなり、前記施錠装置４５の鍵孔４６を防護部材３０の側面に設けてある自動販売機等における盗難防止装置において、
前記固定部材１０と防護部材３０の嵌合部の構成として、固定部材１０の先端面１１と両側外面１２に摺合する防護部材外筐３１内に、正面から見て冂型に左右対称形に形成された案内部材３６を一体に固定し、該案内部材３６を固定部材１０に設けた嵌合孔１４に上下方向に摺合可能に配置し、
前記案内部材３６の外側に重なるよう冂型に左右対称に形成されたラッチ３２の左右脚部を水平な枢軸３３によって案内部材の左右側壁に回動可能に連結し、該ラッチ３２の左右脚部の下端に固定部材１０の掛合縁１３に掛合する掛合顎３４を形成し、該掛合顎３４の先端を傾斜カム面３９に形成し、ラッチ３２を捻りバネ３５によって掛合顎３４が掛合縁１３と掛合する方向に常時付勢し、
防護部材３０を固定部材１０へ挿入するとき、前記掛合顎３４の傾斜カム面３９が前記嵌合孔１４の掛合縁１３に接触して、ラッチ３２が前記バネ３５の復元力に抗して回動し、掛合顎３４が前記掛合縁１３の位置を通過して、防護部材３０が固定部材１０と完全に嵌合したとき、捻りバネ３５の復元力によってラッチ３２が回動して、左右の掛合顎３４が左右の掛合縁１３の下側に掛合し、防護部材３０が抜去不能に固定されることを特徴とする盗難防止装置。
【発明の詳細な説明】
【０００１】
【発明の属する技術分野】
本発明は、自動販売機等の扉を不法に開扉させないための盗難防止装置に関するものである。
【０００２】
【従来の技術】
自動販売機等では、扉と商品収納筐との間に施錠装置が設けられているが、近年これを不法に開錠して、中の商品又は売上金を盗む事件が多発している。
この種の不法開扉を防止ないし不法開扉に時間をとらせ、別に設けた警報装置により、警備員が現場に到着するまでの時間までに開扉されないようにする盗難防止装置が、数多く提案されている。
【０００３】
その一例は、登録実用新案第３０４６１６１号公報に記載されている。その概要は、自動販売機等Ａの底外面に固定可能な固定本体１０の前端部分のポケットに、防護部材３０を挿入抜去可能に設けてあり、固定本体１０に設けたデットボルト３２ａをキー操作により進退させて、デットボルト３２ａを防護部材３０と掛合離反させるものである（図６参照）。
【０００４】
ところが、前記の盗難防止装置においては、デッドボルト３２ａの駆動に関与する施錠装置が本体部材１０内側に設けられており、従って鍵孔が自動販売機等Ａの底部の位置にあるため、正規の管理者が鍵操作を行うときに鍵孔が見えず、場所も狭隘であって操作に相当の困難性を伴う。
また、雨水や泥水などが跳ね返って鍵孔内に侵入し、施錠装置を腐蝕させたり、故障の原因となる。さらにまた、鍵操作をしない限り、固定部材１０に保護部材３０を固定することができないため、操作が面倒であり、料金回収や商品の補充作業員の労力の損失が大きい。
【０００５】
【発明が解決しようとする課題】
したがって本発明の目的は、保護部材を固定部材に挿入するだけで保護部材が固定部材にロックされ、鍵操作が容易である盗難防止装置を提供することである。また、本発明の別の目的は、鍵孔に泥水などがかからず、これによる施錠装置の故障がなくなる盗難防止装置を提供することである。
【０００６】
【課題を解決するための手段】
本発明の主たる特徴は、自動販売機等Ａの底外面に固着可能な固定部材１０と、この前端部に上方より挿入され、自動販売機等Ａの前面に添って起立固定され、かつ抜去可能な防護部材３０と、前記防護部材３０の外筐３１内に設けられ、固定部材１０に挿入された防護部材３０と掛合するラッチ３２と、該ラッチ３２を掛合位置に施錠する施錠装置４５とからなり、前記施錠装置４５の鍵孔４６を防護部材３０の側面に設けてある自動販売機等における盗難防止装置において、
前記固定部材１０と防護部材３０の嵌合部の構成として、固定部材１０の先端面１１と両側外面１２に摺合する防護部材外筐３１内に、正面から見て冂型に左右対称形に形成された案内部材３６を一体に固定し、該案内部材３６を固定部材１０に設けた嵌合孔１４に上下方向に摺合可能に配置し、
前記案内部材３６の外側に重なるよう冂型に左右対称に形成されたラッチ３２の左右脚部を水平な枢軸３３によって案内部材の左右側壁に回動可能に連結し、該ラッチ３２の左右脚部の下端に固定部材１０の掛合縁１３に掛合する掛合顎３４を形成し、該掛合顎３４の先端を傾斜カム面３９に形成し、ラッチ３２を捻りバネ３５によって掛合顎３４が掛合縁１３と掛合する方向に常時付勢し、
防護部材３０を固定部材１０へ挿入するとき、前記掛合顎３４の傾斜カム面３９が前記嵌合孔１４の掛合縁１３に接触して、ラッチ３２が前記バネ３５の復元力に抗して回動し、掛合顎３４が前記掛合縁１３の位置を通過して、防護部材３０が固定部材１０と完全に嵌合したとき、捻りバネ３５の復元力によってラッチ３２が回動して、左右の掛合顎３４が左右の掛合縁１３の下側に掛合し、防護部材３０が抜去不能に固定されることである。
【０００７】
【発明の実施の形態】
図１から図５に示す盗難防止装置は、本発明の実施の形態であり、この盗難防止装置は、固定部材１０とこれに対して挿入及び抜去可能な防護部材３０とからなる。
固定部材１０は、強靭な鋼板プレス成形品よりなり、長手方向に対して凹凸はなく、断面形状は浅い逆角Ｕ字型としてあり、中央部に長手方向にビード１５が設けてあり、このビード１５の底部に長孔１６を穿設してある。また、ビード１５の両外側には第２長孔１７が穿設してあり、第２長孔１７の一方の内側縁はラック１８の形状にしてある。
【０００８】
プレートナット１９は、前記ビード１５の下面に添って前後方向に位置が変更できるものであり、この両翼部には、前記ラック１８と掛合可能な爪２０が２箇づつ設けてある。プレートナット１９には、前記長孔１６に対応した箇所に雌ネジ２０が形成してあり、また両翼部には、前記第２長孔１７に対応した位置にボルト通し孔２１を穿設してある（図１参照）。
【０００９】
固定部材１０の先端面１１は、平面視において山形ないし台形型に形成してあり、先端面１１より少し内側には、固定部材１０の両側外面より固定部材１０の頂面２３へ切り込んだ角型の嵌合孔１４を穿設してある。
断面Ｕ字状の補強材２５は、固定部材１０の先端部及び嵌合孔１４の開口縁部１３ａを補強するものであり、固定部材１０の横断方向に設けられ、固定部材１０に溶接して一体としてある。
【００１０】
防護部材３０の一部をなす外筐３１は、固定部材１０と同様に強靭な鋼板プレス材製であり、その内面は固定部材１０の先端面１１の形状に倣った谷形状になっており、外方に突出した第２ビード３７を形成してある。また、外筐３１の両側は固定部材１０の両側外面１２に摺合可能な形状としてあり、断面が浅いＵ字型になっている。
外筐３１の内側には、強靭な鋼板製の案内部材３６を溶接により一体化してあり、案内部材３６は正面から見て冂型に左右対称形に形成してあり、その下端部３８は、それぞれ外側に折り曲げて嵌合孔１４に嵌合できる寸法及び形状としてある。
【００１１】
この外筐３１内であって案内部材３６の側面には、水平な枢軸３３によって回動可能なレバー型のラッチ３２が設けてあり、中央連絡板部分４０を有するラッチ３２は、案内部材３６の外側に重なるよう冂型に左右対称に形成されている。ラッチ３２の左右脚部の下端にには、掛合顎３４が形成され、掛合顎３４の先端は傾斜カム面３９としてある。ラッチ３２は、捻りバネ型のバネ３５によって、掛合顎３４が掛合縁１３と掛合する方向に常時付勢されている。
【００１２】
ラッチ３２の中央連絡板部分４０より上方の外筐３１の内側には、施錠装置４５が設けてあり、この施錠装置４５のローター４７と一体に回動するカム４８が前記ラッチ３２の中央連絡板部分４０に係脱可能に設けてある。施錠装置４５の鍵孔４６に挿入した鍵によってロータ４７を回すことにより、前記ラッチ３２を施錠状態で固定したり、開錠できるようにしてある。
【００１３】
この盗難防止装置を自動販売機等Ａに取り付けるには、先ず最初にプレートナット１９の中央凹み部を固定部材１０の下面のビード１５に合わせ、両翼部の各爪２２をラック１８の最適位置に掛合し、固定部材１０の頂面２３の上方よりビス２４を長孔１６に通して、プレートナット１９の雌ネジ２０に螺合し、締め付け固定する。前記ビード１５は、ビス２４の頭部が自動販売機等Ａの底板５２に当たらない深さに形成してある。
【００１４】
次に、固定部材１０を自動販売機Ａの筺体５１の底板５２に当て、嵌合孔１４の後端側の開口縁部１３ａが、自動販売機等Ａの扉前面と面一の位置に来るように合わせる。前記プレートナット１９のボルト通し孔２１と自動販売機等Ａの底板５２の第２ボルト通し孔５３との位置を合わせて、ボルト５４を通し、ナット５４によって固定部材１０を自動販売機等Ａの底板５２に固定する。
【００１５】
このようにして固定部材１０を自動販売機等Ａの底に取り付けても、固定部材１０の頂面には長手方向に凹凸部がないから、固定部材１０の前端部を自動販売機Ａの前方に突出させて固定しても、扉の開閉には何ら支障がない。
【００１６】
次に、防護部材３０の下端部を固定部材１０の先端部に嵌合させる。即ち、外筐３１の内面を固定部材１０の先端面１１に添わせ、防護部材３０を扉面に添って下方に移動させると（図２参照）、案内部材３６の下端部３８が嵌合孔１４と摺合し、更に防護部材３０を下方に沈める。ラッチ３２のカム面３９が嵌合孔１４の掛合縁１３に当たり、バネ３５の復元力に抗して、反時計方向にラッチ３２は回動し（図３矢印参照）、ラッチ３２の掛合顎３４は掛合縁１３の位置を通過して、その下側にバネ３５の復元力によって復帰し、防護部材３０は固定部材１０と完全に嵌合した状態で、前記ラッチ３２によって抜去不能に固定される。
【００１７】
この状態において、施錠装置４５の鍵孔４６に鍵（図示してない）を挿入して、ラッチ３２を錠止位置に確実に固定することもできる。
この状態においては、防護部材３０は扉の前面に密着状態で起立しているから、施錠装置４５を開錠しない限り、扉を開くことはできない。
【００１８】
次に、正当管理者は鍵によって施錠装置４５のロータ４７及び操作カム４８を回動して、ラッチ３２の掛合顎３４を掛合縁１３から外し、その後、防護部材３０全体を上方に引き抜くことによって、扉を開放可能状態とし、扉を開けて商品の補充や料金の回収を行う。
前記実施形態においては、鍵孔４６の中心線までの位置を防護部材３０の背面に極く接近させて設けてある。
【００１９】
前記実施形態においては、固定部材１０及び防護部材３０は共に強靭な鋼板プレス成形品であり、断面はコ字型とし、それぞれにビート１５、３７を設けてあるため、極めて剛性が高く、防護部材３０の外筐３１が固定部材１０の先端部分を抱持するように摺合し、かつ、案内部材３６が嵌合孔１４の内縁に摺合して、固定部材１０と防護部材３０が一体化されるため、結合は強固となり、ラッチ３２の掛合縁１３への掛合により、両者は完全に一体化され、極めて破壊に対して強いものとなっている。
【００２１】
また、鍵孔４６の位置を防護部材３０の背面に接近させて設けてあるから、不法アクセスを企図する者が鍵孔４６にドライバーなどを挿入しようとしても、ドライバーの柄が自動販売機等の扉に当たり、ドライバーが斜めになってしまうため、鍵孔４６に挿入できず、不法行為を困難または断念させる作用がある。
【００２２】
【発明の効果】
本発明においては、捻りバネ３５で回動付勢されたラッチ３２を設けてあるから、防護部材３０を単に固定部材１０の先端部材１０の先端部の嵌合孔１４に挿入するだけで、ラッチ３２は固定部材１０と一体の掛合縁１３に自動的に係合するから、特に鍵操作を要せず、管理者の労力の軽減となる。
また、鍵孔４６は防護部材３０の側面に設けてあるため、鍵操作が容易であり、雨水や泥水が跳ね返って、これに侵入する危険性も少なく、施錠装置４５の故障を少なくし、耐用年数を伸長させる。
【００２３】
特に本発明では、防護部材３０は固定部材１０の嵌合孔１４に嵌合したとき固定部材１０の先端面１１と両側外面１２に摺合するようになっているとともに、防護部材外筐３１内には、冂型に左右対称形に形成された案内部材３６が固着され、前記案内部材３６の外側に重なるよう冂型に左右対称に形成されたラッチ３２が左右脚部を水平な枢軸３３によって案内部材の左右側壁に回動可能に連結され、該左右の脚部の下端に形成した掛合顎３４が左右の嵌合孔１４の掛合縁１３に掛合するようになっているため、固定部材１０に対する防護部材３０の嵌合は、機械的強度面において丈夫になされる。
さらにまた、防護部材３０を固定部材１０へ挿入するとき、前記掛合顎３４の傾斜カム面３９が前記嵌合孔１４の掛合縁１３に接触して、ラッチ３２が前記バネ３５の復元力に抗して回動し、掛合顎３４が前記掛合縁１３の位置を通過して、防護部材３０が固定部材１０と完全に嵌合したとき、捻りバネ３５の復元力によってラッチ３２が回動して、左右の掛合顎３４が左右の掛合縁１３の下側に掛合するものであり、防護部材３０を固定部材１０と嵌合するだけで、ラッチ３２は自動的に錠止状態となるから、特に鍵操作を必要としない。
【図面の簡単な説明】
【図１】本発明の一実施例に係る盗難防止装置の固定部材と防護部材を分離状態における一部破断斜視図である。
【図２】図１の盗難防止装置の固定部材と防護部材を分離した状態における一部縦断側面図である。
【図３】図１の盗難防止装置のラッチ部分における一部縦断側面図である。
【図４】図１の盗難防止装置の固定部材と防護部材が結合した状態における縦断側面図である。
【図５】図４の盗難防止装置の外筐を外した状態の背面図である。
【図６】従来の盗難防止装置の概略的な一部縦断側面図である。
【符号の説明】
１０    固定部材
１１    先端面
１２    両側外面
１３    掛合縁
１４    嵌合孔
１５    ビード
１６    長孔
１７    第２長孔
１８    ラック
１９    プレートナット
２０    雌ネジ
２１    ボルト通し孔
２２    爪
２３    頂面
３０    防護部材
３１    外筐
３２    ラッチ
３３    枢軸
３４    掛合顎
３５    バネ
３６    案内部材
３７    第２ビード
３８    下端部
３９    カム面
４０    中央連絡板部分
４５    施錠装置
４６    鍵孔
４７    ロータ
Ａ    自動販売機等
５１    自動販売機等の筺体
５２    底板
５３    第２ボルト通し孔
５４    ボルト
５５    ナット
【図１】
0003545714.tif 000002
【図２】
0003545714.tif 000003
【図３】
0003545714.tif 000004
【図４】
0003545714.tif 000005
【図５】
0003545714.tif 000006
【図６】
0003545714.tif 000007